(57)【要約】【課題】キャリアリーク、振幅誤差等を精度よく低減した直交変調器を提供する。【解決手段】Ｉ側入力信号及びＱ側入力信号を所定のキャリア信号で直交変調して出力する直交変調器であって、キャリア信号を通過したＩ側キャリア信号と、キャリア信号の位相を９０度シフトしたＱ側キャリア信号とを生成する分配部と、Ｉ側入力信号を、Ｉ側キャリア信号で変調するＩ成分変調部と、Ｑ側入力信号を、Ｑ側キャリア信号で変調するＱ成分変調部と、Ｉ成分変調部におけるＩ側キャリアリークをキャンセルするＩ側キャンセラと、Ｑ成分変調部におけるＱ側キャリアリークを、Ｉ側キャンセラとは独立にキャンセルするＱ側キャンセラと、Ｉ成分変調部が出力する信号と、Ｑ成分変調部が出力する信号とを合成する合成部とを備える直交変調器を提供する。【選択図】図１
2007215049.tif 000002
【特許請求の範囲】
【請求項１】
Ｉ側入力信号及びＱ側入力信号を所定のキャリア信号で直交変調して出力する直交変調器であって、
前記キャリア信号を通過したＩ側キャリア信号と、前記キャリア信号の位相を９０度シフトしたＱ側キャリア信号とを生成する分配部と、
前記Ｉ側入力信号を、前記Ｉ側キャリア信号で変調するＩ成分変調部と、
前記Ｑ側入力信号を、前記Ｑ側キャリア信号で変調するＱ成分変調部と、
前記Ｉ成分変調部におけるＩ側キャリアリークをキャンセルするＩ側キャンセラと、
前記Ｑ成分変調部におけるＱ側キャリアリークを、前記Ｉ側キャンセラとは独立にキャンセルするＱ側キャンセラと、
前記Ｉ成分変調部が出力する信号と、前記Ｑ成分変調部が出力する信号とを合成する合成部と
を備える直交変調器。
【請求項２】
前記Ｉ成分変調部は、
入力される信号を前記Ｉ側キャリア信号でそれぞれ変調する第１ミキサ及び第２ミキサと、
前記第２ミキサが出力する信号の位相をシフトし、前記第１ミキサが出力する信号に合成する方向性結合部と
を有し、
前記Ｉ側キャンセラは、
前記第１ミキサに入力される前記Ｉ側入力信号に、前記Ｉ側キャリアリークに応じた第１直流信号を加算する第１直流電源と、
前記第２ミキサに、前記Ｉ側キャリアリークに応じた第２直流信号を入力する第２直流電源と
を有する請求項１に記載の直交変調器。
【請求項３】
前記方向性結合部は、前記第２ミキサが出力する信号の位相を９０度シフトし、前記第１ミキサが出力する信号に合成し、
前記第１直流電源は、前記Ｉ側キャリアリークの実数成分又は虚数成分の一方に基づいて前記第１直流信号を生成し、
前記第２直流電源は、前記Ｉ側キャリアリークの実数成分又は虚数成分の他方に基づいて前記第２直流信号を生成する
請求項２に記載の直交変調器。
【請求項４】
前記Ｉ成分変調部は、前記第１ミキサが出力する信号を前記合成部に伝送する伝送部を更に有し、
前記方向性結合部は、前記第２ミキサの出力と、前記伝送部とを容量結合する
請求項３に記載の直交変調器。
【請求項５】
前記Ｉ成分変調部は、
前記Ｉ側キャリア信号の位相を９０度シフトしたＩ側直交キャリア信号を生成する位相シフト部と、
入力される信号を前記Ｉ側キャリア信号で変調する第１ミキサと、
入力される信号を前記Ｉ側直交キャリア信号で変調する第２ミキサと、
前記第１ミキサが出力する信号と前記第２ミキサが出力する信号とを合成する結合部と
を有し、
前記Ｉ側キャンセラは、
前記第１ミキサに入力される前記Ｉ側入力信号に、前記Ｉ側キャリアリークに応じた第１直流信号を加算する第１直流電源と、
前記第２ミキサに、前記Ｉ側キャリアリークに応じた第２直流信号を入力する第２直流電源と
を有する請求項１に記載の直交変調器。
【請求項６】
前記Ｑ成分変調部は、
入力される信号を前記Ｑ側キャリア信号でそれぞれ変調する第３ミキサ及び第４ミキサと、
前記第３ミキサが出力する信号の位相をシフトし、前記第４ミキサが出力する信号に合成する方向性結合部と
を有し、
前記Ｑ側キャンセラは、
前記第３ミキサに入力される前記Ｑ側入力信号に、前記Ｑ側キャリアリークに応じた第３直流信号を加算する第３直流電源と、
前記第４ミキサに、前記Ｑ側キャリアリークに応じた第４直流信号を入力する第４直流電源と
を有する請求項２に記載の直交変調器。
【請求項７】
前記第１ミキサにおける波形の歪みは、前記第２ミキサにおける波形の歪みより小さい
請求項２又は５に記載の直交変調器。
【請求項８】
前記第１ミキサの３次インターセプトポイントは、前記第２ミキサの前記３次インターセプトポイントより大きい
請求項７に記載の直交変調器。
【請求項９】
前記第２直流電流は、前記Ｉ側入力信号に前記第２直流信号を加算して前記第２ミキサに入力する請求項２又は５に記載の直交変調器。
【請求項１０】
前記Ｉ成分変調部と前記合成部との間に設けられ、前記Ｉ成分変調部が出力する信号を増幅するＩ側増幅部と、
前記Ｑ成分変調部と前記合成部との間に設けられ、前記Ｑ成分変調部が出力する信号を増幅するＱ側増幅部と
を更に備える請求項１に記載の直交変調器。
【請求項１１】
Ｉ側入力信号及びＱ側入力信号を所定のキャリア信号で直交変調して出力する直交変調器であって、
前記キャリア信号を通過したＩ側キャリア信号と、前記キャリア信号の位相を９０度シフトしたＱ側キャリア信号とを生成する分配部と、
前記Ｉ側入力信号を、前記Ｉ側キャリア信号で変調するＩ成分変調部と、
前記Ｑ側入力信号を、前記Ｑ側キャリア信号で変調するＱ成分変調部と、
前記Ｉ成分変調部が出力するＩ側変調成分と、前記Ｑ成分変調部が出力するＱ側変調成分との振幅誤差、位相誤差、及び群遅延誤差の少なくともいずれかに基づいて、前記Ｉ側入力信号又は前記Ｑ側入力信号の少なくとも一方を調整する調整部と、
Ｉ成分変調部が出力する信号と、Ｑ成分変調部が出力する信号とを合成する合成部と
を備える直交変調器。
【請求項１２】
前記Ｉ成分変調部は、
前記Ｉ側キャリア信号と位相が９０度異なるＩ側直交キャリア信号を生成する第１位相シフト部と、
入力される信号を前記Ｉ側キャリア信号で変調する第１ミキサと、
入力される信号を前記Ｉ側直交キャリア信号で変調する第２ミキサと、
前記第１ミキサが出力する信号と、前記第２ミキサが出力する信号とを合成する第１結合部と
を有し、
前記調整部は、
前記Ｉ側入力信号の振幅を、前記振幅誤差、位相誤差、及び群遅延誤差の少なくともいずれかの実数成分に基づいて調整し、前記第１ミキサに入力する第１振幅調整部と、
前記Ｉ側入力信号の振幅を、前記振幅誤差、位相誤差、及び群遅延誤差の少なくともいずれかの虚数成分に基づいて調整し、前記第２ミキサに入力する第２振幅調整部と
を有する
請求項１１に記載の直交変調器。
【請求項１３】
前記第Ｑ成分変調部は、
前記Ｑ側キャリア信号と位相が９０度異なるＱ側直交キャリア信号を生成する第２位相シフト部と、
入力される信号を前記Ｑ側キャリア信号で変調する第３ミキサと、
入力される信号を前記Ｑ側直交キャリア信号で変調する第４ミキサと、
前記第３ミキサが出力する信号と、前記第４ミキサが出力する信号とを合成する第２結合部と
を有し、
前記調整部は、
前記Ｑ側入力信号の振幅を、前記振幅誤差の実数成分に基づいて調整し、前記第３ミキサに入力する第３振幅調整部と、
前記Ｑ側入力信号の振幅を、前記振幅誤差の虚数成分に基づいて調整し、前記第４ミキサに入力する第４振幅調整部と
を有する
請求項１２に記載の直交変調器。
【請求項１４】
前記Ｉ側入力信号に対して、前記調整部とは独立したパラメータを調整し、前記Ｉ成分変調部におけるキャリアリークをキャンセルするＩ側キャンセラと、
前記Ｑ側入力信号に対して、前記調整部とは独立したパラメータを調整し、前記Ｉ成分変調部におけるキャリアリークを前記I側キャンセラとは独立にキャンセルするＱ側キャンセラと
を更に備える
請求項１１に記載の直交変調器。
【請求項１５】
前記Ｉ側キャンセラ及び前記Ｑ側キャンセラは、前記Ｉ側入力信号及び前記Ｑ側入力信号にそれぞれ直流信号を加算する
請求項１４に記載の直交変調器。
【請求項１６】
前記Ｉ側キャンセラは、
前記第１振幅調整部が出力する前記Ｉ側入力信号に、前記Ｉ成分変調部における前記キャリアリークの実数成分に応じた第１直流信号を加算する第１直流電源と、
前記第２振幅調整部が出力する前記Ｉ側入力信号に、前記Ｉ成分変調部における前記キャリアリークの虚数成分に応じた第２直流信号を加算する第２直流電源と
を有する請求項１５に記載の直交変調器。
【請求項１７】
Ｉ側入力信号及びＱ側入力信号を、所定のキャリア信号で変調した信号を生成する信号発生器であって、
前記キャリア信号を生成するキャリア生成部と、
前記Ｉ側入力信号及び前記Ｑ側入力信号を、前記キャリア信号で直交変調する直交変調器と
を備え、
前記直交変調器は、
前記キャリア信号を通過したＩ側キャリア信号と、前記キャリア信号の位相を９０度シフトしたＱ側キャリア信号とを生成する分配部と、
前記Ｉ側入力信号を、前記Ｉ側キャリア信号で変調するＩ成分変調部と、
前記Ｑ側入力信号を、前記Ｑ側キャリア信号で変調するＱ成分変調部と、
前記Ｉ成分変調部におけるＩ側キャリアリークをキャンセルするＩ側キャンセラと、
前記Ｑ成分変調部におけるＱ側キャリアリークを、前記Ｉ側キャンセラとは独立にキャンセルするＱ側キャンセラと、
前記Ｉ成分変調部が出力する信号と、前記Ｑ成分変調部が出力する信号とを合成する合成部と
を有する信号発生器。
【請求項１８】
Ｉ側入力信号及びＱ側入力信号を、所定のキャリア信号で変調した信号を生成する信号発生器であって、
前記キャリア信号を生成するキャリア生成部と、
前記Ｉ側入力信号及び前記Ｑ側入力信号を、前記キャリア信号で直交変調する直交変調器と
を備え、
前記直交変調器は、
前記キャリア信号を通過したＩ側キャリア信号と、前記キャリア信号の位相を９０度シフトしたＱ側キャリア信号とを生成する分配部と、
前記Ｉ側入力信号を、前記Ｉ側キャリア信号で変調するＩ成分変調部と、
前記Ｑ側入力信号を、前記Ｑ側キャリア信号で変調するＱ成分変調部と、
前記Ｉ成分変調部が出力するＩ側変調成分と、前記Ｑ成分変調部が出力するＱ側変調成分との振幅誤差、位相誤差、及び群遅延誤差の少なくともいずれかに基づいて、前記Ｉ側入力信号又は前記Ｑ側入力信号の少なくとも一方を調整する調整部と
を有する信号発生器。
【発明の詳細な説明】
【技術分野】
【０００１】
本発明は、Ｉ側入力信号及びＱ側入力信号を所定のキャリア信号で直交変調して出力する直交変調器、及び直交変調器を備える信号発生器に関する。特に本発明は、キャリアリーク等の誤差成分を低減する直交変調器に関する。
【背景技術】
【０００２】
直交変調器は、Ｉ（Ｉｎｐｈａｓｅ）側入力信号と、Ｑ（Ｑｕａｄｒａｔｕｒｅ）側入力信号に、キャリア信号を乗算し、その出力を合成することにより、直交変調を行う。ここで、それぞれの入力信号にキャリア信号を乗算するミキサにおいて、いわゆるキャリアリークが生じる場合があることが知られている。
【０００３】
キャリアリークとは、ミキサに入力されるキャリア信号が、ミキサの出力側にリークすることを指し、当該キャリアリークにより、ミキサが出力する変調信号に誤差成分が含まれてしまう。当該キャリアリークを低減する方式として、変調用の直交変調回路と、当該直交変調回路において生じるキャリアリークをキャンセルする成分を発生する補償用の直交変調回路を備える直交変調器が知られている（例えば、特許文献１参照）。当該直交変調器では、補償用の直交変調回路によりキャンセル成分を生成することにより、所望の実数成分及び虚数成分を有するキャンセル成分を生成している。
【０００４】
【特許文献１】特開２０００−６９０９７号公報
【発明の開示】
【発明が解決しようとする課題】
【０００５】
しかし、従来の直交変調器が出力する信号を所望の増幅率で増幅させる場合、変調用の直交変調回路の出力と、補償用の直交変調回路の出力との合成後に増幅させる必要がある。合成回路では損失が生じるので、合成回路の後段に増幅回路を設けるとノイズフィギュアが劣化してしまう。
【０００６】
また、合成回路の前段、即ち合成回路と、それぞれの直交変調回路との間にそれぞれ増幅回路を設ける形態も考えられるが、それぞれの直交変調回路の出力にはキャリアリークが生じている。このため、当該キャリアリークが増幅回路に入力され、出力波形に歪みが生じてしまう。
【０００７】
このため本発明は上記の課題を解決する直交変調器及び信号発生器を提供することを目的とする。この目的は、請求の範囲における独立項に記載の特徴の組み合わせにより達成される。また従属項は本発明の更なる有利な具体例を規定する。
【課題を解決するための手段】
【０００８】
上記課題を解決するために、本発明の第１形態においては、Ｉ側入力信号及びＱ側入力信号を所定のキャリア信号で直交変調して出力する直交変調器であって、キャリア信号を通過したＩ側キャリア信号と、キャリア信号の位相を９０度シフトしたＱ側キャリア信号とを生成する分配部と、Ｉ側入力信号を、Ｉ側キャリア信号で変調するＩ成分変調部と、Ｑ側入力信号を、Ｑ側キャリア信号で変調するＱ成分変調部と、Ｉ成分変調部におけるＩ側キャリアリークをキャンセルするＩ側キャンセラと、Ｑ成分変調部におけるＱ側キャリアリークを、Ｉ側キャンセラとは独立にキャンセルするＱ側キャンセラと、Ｉ成分変調部が出力する信号と、Ｑ成分変調部が出力する信号とを合成する合成部とを備える直交変調器を提供する。
【０００９】
Ｉ成分変調部は、入力される信号をＩ側キャリア信号でそれぞれ変調する第１ミキサ及び第２ミキサと、第２ミキサが出力する信号の位相をシフトし、第１ミキサが出力する信号に合成する方向性結合部とを有し、Ｉ側キャンセラは、第１ミキサに入力されるＩ側入力信号に、Ｉ側キャリアリークに応じた第１直流信号を加算する第１直流電源と、第２ミキサに、Ｉ側キャリアリークに応じた第２直流信号を入力する第２直流電源とを有してよい。
【００１０】
方向性結合部は、第２ミキサが出力する信号の位相を９０度シフトし、第１ミキサが出力する信号に合成し、第１直流電源は、Ｉ側キャリアリークの実数成分又は虚数成分の一方に基づいて第１直流信号を生成し、第２直流電源は、Ｉ側キャリアリークの実数成分又は虚数成分の他方に基づいて第２直流信号を生成してよい。Ｉ成分変調部は、第１ミキサが出力する信号を合成部に伝送する伝送部を更に有し、方向性結合部は、第２ミキサの出力と、伝送部とを容量結合してよい。
【００１１】
Ｉ成分変調部は、Ｉ側キャリア信号の位相を９０度シフトしたＩ側直交キャリア信号を生成する位相シフト部と、入力される信号をＩ側キャリア信号で変調する第１ミキサと、入力される信号をＩ側直交キャリア信号で変調する第２ミキサと、第１ミキサが出力する信号と第２ミキサが出力する信号とを合成する結合部とを有し、Ｉ側キャンセラは、第１ミキサに入力されるＩ側入力信号に、Ｉ側キャリアリークに応じた第１直流信号を加算する第１直流電源と、第２ミキサに、Ｉ側キャリアリークに応じた第２直流信号を入力する第２直流電源とを有してよい。
【００１２】
Ｑ成分変調部は、入力される信号をＱ側キャリア信号でそれぞれ変調する第３ミキサ及び第４ミキサと、第３ミキサが出力する信号の位相をシフトし、第４ミキサが出力する信号に合成する方向性結合部とを有し、Ｑ側キャンセラは、第３ミキサに入力されるＱ側入力信号に、Ｑ側キャリアリークに応じた第３直流信号を加算する第３直流電源と、第４ミキサに、Ｑ側キャリアリークに応じた第４直流信号を入力する第４直流電源とを有してよい。
【００１３】
第１ミキサにおける波形の歪みは、第２ミキサにおける波形の歪みより小さくてよい。第１ミキサの３次インターセプトポイントは、第２ミキサの３次インターセプトポイントより大きくてよい。第２直流電流は、Ｉ側入力信号に第２直流信号を加算して第２ミキサに入力してよい。
【００１４】
直交変調器は、Ｉ成分変調部と合成部との間に設けられ、Ｉ成分変調部が出力する信号を増幅するＩ側増幅部と、Ｑ成分変調部と合成部との間に設けられ、Ｑ成分変調部が出力する信号を増幅するＱ側増幅部とを更に備えてよい。
【００１５】
本発明の第２の形態においては、Ｉ側入力信号及びＱ側入力信号を所定のキャリア信号で直交変調して出力する直交変調器であって、キャリア信号を通過したＩ側キャリア信号と、キャリア信号の位相を９０度シフトしたＱ側キャリア信号とを生成する分配部と、Ｉ側入力信号を、Ｉ側キャリア信号で変調するＩ成分変調部と、Ｑ側入力信号を、Ｑ側キャリア信号で変調するＱ成分変調部と、Ｉ成分変調部が出力するＩ側変調成分と、Ｑ成分変調部が出力するＱ側変調成分との振幅誤差、位相誤差、及び群遅延誤差の少なくともいずれかに基づいて、Ｉ側入力信号又はＱ側入力信号の少なくとも一方を調整する調整部と、Ｉ成分変調部が出力する信号と、Ｑ成分変調部が出力する信号とを合成する合成部とを備える直交変調器を提供する。
【００１６】
Ｉ成分変調部は、Ｉ側キャリア信号と位相が９０度異なるＩ側直交キャリア信号を生成する第１位相シフト部と、入力される信号をＩ側キャリア信号で変調する第１ミキサと、入力される信号をＩ側直交キャリア信号で変調する第２ミキサと、第１ミキサが出力する信号と、第２ミキサが出力する信号とを合成する第１結合部とを有し、調整部は、Ｉ側入力信号の振幅を、振幅誤差、位相誤差、及び群遅延誤差の少なくともいずれかの実数成分に基づいて調整し、第１ミキサに入力する第１振幅調整部と、Ｉ側入力信号の振幅を、振幅誤差、位相誤差、及び群遅延誤差の少なくともいずれかの虚数成分に基づいて調整し、第２ミキサに入力する第２振幅調整部とを有してよい。
【００１７】
第Ｑ信号変調部は、Ｑ側キャリア信号と位相が９０度異なるＱ側直交キャリア信号を生成する第２位相シフト部と、入力される信号をＱ側キャリア信号で変調する第３ミキサと、入力される信号をＱ側直交キャリア信号で変調する第４ミキサと、第３ミキサが出力する信号と、第４ミキサが出力する信号とを合成する第２結合部とを有し、調整部は、Ｑ側入力信号の振幅を、振幅誤差の実数成分に基づいて調整し、第３ミキサに入力する第３振幅調整部と、Ｑ側入力信号の振幅を、振幅誤差の虚数成分に基づいて調整し、第４ミキサに入力する第４振幅調整部とを有してよい。
【００１８】
直交変調器は、Ｉ側入力信号に対して、調整部とは独立したパラメータを調整し、Ｉ成分変調部におけるキャリアリークをキャンセルするＩ側キャンセラと、Ｑ側入力信号に対して、調整部とは独立したパラメータを調整し、Ｉ成分変調部におけるキャリアリークをＱ側キャンセラとは独立にキャンセルするＱ側キャンセラとを更に備えてよい。Ｉ側キャンセラ及びＱ側キャンセラは、Ｉ側入力信号及びＱ側入力信号にそれぞれ直流信号を加算してよい。
【００１９】
Ｉ側キャンセラは、第１振幅調整部が出力するＩ側入力信号に、Ｉ成分変調部におけるキャリアリークの実数成分に応じた第１直流信号を加算する第１直流電源と、第２振幅調整部が出力するＩ側入力信号に、Ｉ成分変調部におけるキャリアリークの虚数成分に応じた第２直流信号を加算する第２直流電源とを有してよい。
【００２０】
本発明の第３の形態においては、Ｉ側入力信号及びＱ側入力信号を、所定のキャリア信号で変調した信号を生成する信号発生器であって、キャリア信号を生成するキャリア生成部と、Ｉ側入力信号及びＱ側入力信号を、キャリア信号で直交変調する直交変調器とを備え、直交変調器は、キャリア信号を通過したＩ側キャリア信号と、キャリア信号の位相を９０度シフトしたＱ側キャリア信号とを生成する分配部と、Ｉ側入力信号を、Ｉ側キャリア信号で変調するＩ成分変調部と、Ｑ側入力信号を、Ｑ側キャリア信号で変調するＱ成分変調部と、Ｉ成分変調部におけるＩ側キャリアリークをキャンセルするＩ側キャンセラと、Ｑ成分変調部におけるＱ側キャリアリークを、Ｉ側キャンセラとは独立にキャンセルするＱ側キャンセラと、Ｉ成分変調部が出力する信号と、Ｑ成分変調部が出力する信号とを合成する合成部とを有する信号発生器を提供する。
【００２１】
本発明の第４の形態においては、Ｉ側入力信号及びＱ側入力信号を、所定のキャリア信号で変調した信号を生成する信号発生器であって、キャリア信号を生成するキャリア生成部と、Ｉ側入力信号及びＱ側入力信号を、キャリア信号で直交変調する直交変調器とを備え、直交変調器は、キャリア信号を通過したＩ側キャリア信号と、キャリア信号の位相を９０度シフトしたＱ側キャリア信号とを生成する分配部と、Ｉ側入力信号を、Ｉ側キャリア信号で変調するＩ成分変調部と、Ｑ側入力信号を、Ｑ側キャリア信号で変調するＱ成分変調部と、Ｉ成分変調部が出力するＩ側変調成分と、Ｑ成分変調部が出力するＱ側変調成分との振幅誤差、位相誤差、及び群遅延誤差の少なくともいずれかに基づいて、Ｉ側入力信号又はＱ側入力信号の少なくとも一方を調整する調整部とを有する信号発生器を提供する。
【００２２】
なお、上記の発明の概要は、本発明の必要な特徴の全てを列挙したものではなく、これらの特徴群のサブコンビネーションもまた、発明となりうる。
【発明を実施するための最良の形態】
【００２３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２４】
図１は、本発明の実施形態に係る信号発生器１００の構成の一例を示す図である。信号発生器１００は、Ｉ側入力信号及びＱ側入力信号を、所定のキャリア信号で変調した信号を生成する回路であって、キャリア生成部１０及び直交変調器１２を備える。
【００２５】
キャリア生成部１０は、予め定められた周波数のキャリア信号を生成する。当該キャリア信号は、例えば正弦波であってよい。直交変調器１２は、Ｉ側入力信号及びＱ側入力信号が与えられ、Ｉ側入力信号及びＱ側入力信号を当該キャリア信号で直交変調して出力する。信号発生器１００は、Ｉ側入力信号及びＱ側入力信号を生成する信号発生部を更に備えてもよい。
【００２６】
直交変調器１２は、分配部４２、Ｉ成分変調部２０、Ｑ成分変調部４０、Ｉ側増幅部４４、Ｑ側増幅部４６、及び合成部４８を備える。分配部４２は、キャリア生成部１０が生成したキャリア信号を受け取り、当該キャリア信号を通過したＩ側キャリア信号と、当該キャリア信号の位相を９０度シフトしたＱ側キャリア信号を生成する。
【００２７】
Ｉ成分変調部２０は、Ｉ側入力信号を、Ｉ側キャリア信号に基づいて変調する。また、Ｑ成分変調部４０は、Ｑ側入力信号を、Ｑ側キャリア信号に基づいて変調する。Ｉ成分変調部２０及びＱ成分変調部４０は、略同一の構成を有する。本例においては、Ｉ成分変調部２０の構成について説明する。
【００２８】
Ｉ成分変調部２０は、Ｉ側キャンセラ２２、分配部２８、第１ミキサ２６、第２ミキサ２４、伝送部３８、及び方向性結合部３０を有する。また、Ｑ成分変調部４０は、Ｉ側キャンセラ２２に代えてＱ側キャンセラ、第１ミキサ２６に代えて第３ミキサ、第２ミキサ２４に代えて第４ミキサを有する。
【００２９】
分配部２８は、Ｉ側キャリア信号を受け取り、第１ミキサ２６及び第２ミキサ２４に分配する。第１ミキサ２６及び第２ミキサ２４は、入力される信号を、Ｉ側キャリア信号でそれぞれ変調して出力する。方向性結合部３０は、第２ミキサ２４が出力する信号の位相を９０度シフトし、第１ミキサ２６が出力する信号に合成する。
【００３０】
Ｉ側キャンセラ２２は、Ｉ成分変調部２０におけるＩ側キャリアリークをキャンセルする。本例におけるＩ側キャンセラ２２は、第１ミキサ２６及び第２ミキサ２４に、Ｉ側キャリアリークに応じた直流信号を入力することにより、Ｉ側キャリアリークをキャンセルする。Ｉ側キャンセラ２２は、第１直流電源３４、第２直流電源３２、及び加算部３６を有する。
【００３１】
第１直流電源３４は、第１ミキサ２６に入力されるＩ側入力信号に、Ｉ側キャリアリークに応じた第１直流信号を加算する。第１直流電源３４は、加算部３６を介して、第１直流信号を加算する。加算部３６は、Ｉ側入力信号を第１ミキサ２６に伝送する伝送経路上に設けられる。例えば加算部３６は、当該伝送経路と、第１直流電源３４の出力とを接続する接続点であってよい。また、第２直流電源３２は、第２ミキサ２４に、Ｉ側キャリアリークに応じた第２直流信号を入力する。
【００３２】
例えば、第１直流電源３４は、Ｉ側キャリアリークの実数成分又は虚数成分の一方に基づいて第１直流信号を生成し、第２直流電源３２は、Ｉ側キャリアリークの実数成分又は虚数成分の他方に基づいて第２直流信号を生成する。方向性結合部３０により、第２ミキサ２４が出力する信号は、第１ミキサ２６が出力する信号に対して位相が９０度シフトして合成される。このため、第１直流電源３４及び第２直流電源３２が出力する直流信号のレベルを調整することにより、任意の振幅及び任意の位相を有するＩ側キャリアリークをキャンセルすることができる。
【００３３】
Ｑ成分変調部４０においても、Ｑ側キャンセラが、Ｉ側キャンセラ２２と同様に、Ｑ側キャリアリークをキャンセルする。ここで、Ｉ側キャンセラ２２及びＱ側キャンセラは、それぞれ二つの直流電源を有し、それぞれ所望の振幅及び位相を有するキャンセル成分を独立に生成する。
【００３４】
Ｉ側増幅部４４は、Ｉ成分変調部２０と合成部４８との間に設けられ、Ｉ成分変調部２０が出力する信号を予め定められた増幅率で増幅する。また、Ｑ側増幅部４６は、Ｑ成分変調部４０と合成部４８との間に設けられ、Ｑ成分変調部４０が出力する信号を予め定められた増幅率で増幅する。合成部４８は、Ｉ側増幅部４４及びＱ側増幅部４６が出力する信号を合成して出力する。
【００３５】
本例においては、合成部４８の前段に増幅回路を設けているので、ノイズフィギュアの劣化を防ぐことができる。また、Ｉ成分変調部２０及びＱ成分変調部４０のそれぞれにおいて、キャリアリークがキャンセルされている。このため、合成部４８の前段に増幅回路を設けても、それぞれの増幅回路に入力される信号に含まれるキャリアリーク成分は小さく、出力波形の歪みを低減することができる。
【００３６】
また、それぞれの直流電源が生成する直流信号のレベルは、予めそれぞれのキャリアリークを測定し、当該測定値に基づいて定めてよい。それぞれのキャリアリークは、例えばＩ成分変調部２０にＩ側キャリア信号及びＩ側入力信号を入力した場合における、Ｉ成分変調部２０が出力する信号の実数成分及び虚数成分に基づいて求めることができる。
【００３７】
また、直交変調器１２は、Ｉ成分変調部２０及びＱ成分変調部４０が出力する信号のそれぞれのキャリアリークの実数成分及び虚数成分を測定する測定部と、測定部が測定するキャリアリークの絶対値が最小となるように、当該実数成分及び虚数成分に基づいて、それぞれの直流電源を制御する制御部とを更に備えてもよい。
【００３８】
また、Ｉ成分変調部２０及びＱ成分変調部４０は、第１ミキサ２６及び第３ミキサが出力する信号を、合成部４８にそれぞれ伝送する伝送部３８をそれぞれ有してよい。そして、方向性結合部３０は、第２ミキサ２４の出力と、伝送部３８とを容量結合してよい。これにより、第２ミキサ２４の出力の位相を９０度シフトして合成することができる。また、Ｉ側入力信号の成分を、容量結合を介さずに伝送することができる。
【００３９】
また、本例において方向性結合部３０は、第２ミキサ２４が出力する信号の位相を９０度シフトしたが、方向性結合部３０における位相シフト量は９０度に限られない。第２ミキサ２４の出力の位相と、第１ミキサ２６の出力の位相とを異ならせて合成すればよい。即ち、第１直流電源３４及び第２直流電源３２が生成するキャンセル成分のベクトルは、直交座標系に限らずとも、所望の振幅及び位相を有して生成することができる。また、本例においては方向性の結合部を用いているが、必ずしも方向性の結合部でなくてもよい。つまり、第１ミキサ２６の出力の位相と、第２ミキサ２４の出力の位相とを９０度異ならせて結合する回路を、方向性結合部３０に代えて用いることができる。
【００４０】
また、本例においてはＩ成分変調部２０の動作を説明したが、Ｑ成分変調部４０の動作も同様である。例えば、Ｑ成分変調部４０の第３ミキサ及び第４ミキサは、入力される信号をＱ側キャリア信号に基づいてそれぞれ変調する。Ｑ成分変調部４０の方向性結合部３０は、第３ミキサが出力する信号の位相を９０度シフトし、第４ミキサが出力する信号に合成する。また、Ｑ成分変調部４０の第３直流電源は、第３ミキサに入力されるＱ側入力信号に、Ｑ側キャリアリークに応じた第３直流信号を加算し、第４直流電源は、第４ミキサに、Ｑ側キャリアリークに応じた第４直流信号を入力する。
【００４１】
また、第１ミキサ２６における波形の歪みは、第２ミキサ２４における波形の歪みより小さいことが好ましい。つまり、第２ミキサ２４は、第１ミキサ２６より波形歪み特性が劣っていてもよい。第２ミキサ２４には、Ｉ側入力信号が入力されないので、第１ミキサ２６として、特性のよいミキサを用いれば、良好な出力信号を得ることができる。例えば、第１ミキサ２６の３次インターセプトポイント（ＩＰ３）は、第２ミキサ２４の３次インターセプトポイントより大きくてよい。
【００４２】
図２は、Ｉ成分変調部２０及びＱ成分変調部４０の動作の一例を示す図である。図２（ａ）は、Ｉ成分変調部２０の動作の一例を示す図である。図２（ａ）において実線で示すようなＩ側キャリアリークが生じた場合、Ｉ側キャンセラ２２は、当該Ｉ側キャリアリークとは逆位相で振幅が略等しいキャンセル成分を生成する。
【００４３】
方向性結合部３０により、第１直流電源３４及び第２直流電源３２が生成する直流信号の位相は９０度異なる。このため、Ｉ側キャンセラ２２は、Ｉ側キャリアリークをキャンセルする任意のキャンセル成分を生成することができる。例えば、第１直流電源３４は、Ｉ側キャリアリークの実数成分を打ち消す第１直流信号を生成し、第２直流電源３２は、Ｉ側キャリアリークの虚数成分を打ち消す第２直流信号を生成する。
【００４４】
図２（ｂ）は、Ｑ成分変調部４０の動作の一例を示す図である。Ｑ成分変調部４０も、Ｉ成分変調部２０と同様に、Ｑ側キャリアリークとは逆位相で振幅が略等しいキャンセル成分を生成する。ここで、Ｉ成分変調部２０及びＱ成分変調部４０は、それぞれ２つの直流電源を有するので、それぞれ独立に任意のキャンセル成分を生成することができる。
【００４５】
このように、Ｉ成分変調部２０及びＱ成分変調部４０のそれぞれにおいて独立にキャリアリークを打ち消すことができるので、Ｉ側増幅部４４及びＱ側増幅部４６における波形の歪みを低減することができる。また、Ｉ側キャンセラ２２及びＱ側キャンセラは、キャリアリークの他に、任意のノイズ成分を除去してもよい。
【００４６】
また、前述したように、直交変調器１２は、Ｉ成分変調部２０及びＱ成分変調部４０におけるキャリアリークの実数成分及び虚数成分をそれぞれ測定してよい。そして、測定結果に基づいて、当該キャリアリークを打ち消す直流信号を、それぞれの直流電源に生成させてよい。
【００４７】
図３は、Ｉ成分変調部２０の構成の他の例を示す図である。また、Ｑ成分変調部４０も、本例におけるＩ成分変調部２０と同様の機能及び構成を有してよい。本例におけるＩ成分変調部２０は、図１に示したＩ成分変調部２０の構成に対し、加算部５０を更に有する。他の構成要素は、図１において同一の符号を付した構成要素と略同一である。
【００４８】
本例における第２直流電源３２は、Ｉ側入力信号に第２直流信号を加算して第２ミキサ２４に入力する。第２直流電源３２は、加算部５０を介して、第２直流信号を加算する。加算部５０は、Ｉ側入力信号を第２ミキサ２４に伝送する伝送経路上に設けられる。例えば加算部５０は、当該伝送経路と、第２直流電源３２の出力とを接続する接続点であってよい。
【００４９】
本例におけるＩ成分変調部２０によれば、第１ミキサ２６及び第２ミキサ２４の双方にＩ側入力信号を入力するので、Ｓ／Ｎ比を向上させることができる。また、本例における第１ミキサ２６及び第２ミキサ２４は、略同一の特性を有することが好ましい。
【００５０】
図４は、Ｉ成分変調部２０の構成の他の例を示す図である。また、Ｑ成分変調部４０も、本例におけるＩ成分変調部２０と同様の機能及び構成を有してよい。本例におけるＩ成分変調部２０は、図１又は図３に示したＩ成分変調部２０の構成に対し、分配部２８に代えて位相シフト部５２を有し、方向性結合部３０に代えて結合部５４を有する。他の構成要素については、図１又は図３において同一の符号を付した構成要素と略同一である。
【００５１】
位相シフト部５２は、Ｉ側キャリア信号の位相をシフトしたＩ側直交キャリア信号を生成する。また、位相シフト部５２は、Ｉ側キャリア信号を第１ミキサ２６に入力し、Ｉ側キャリア直交信号を第２ミキサ２４に入力する。また、位相シフト部５２は、Ｉ側キャリア直交信号を第１ミキサ２６に入力し、Ｉ側キャリア信号を第２ミキサ２４に入力してもよい。
【００５２】
結合部５４は、第１ミキサ２６が出力する信号と、第２ミキサ２４が出力する信号とを合成する。このとき、結合部５４は、第１ミキサ２６が出力する信号及び第２ミキサ２４が出力する信号の位相を維持して合成してよく、またいずれかの信号の位相を１８０度シフトして合成してもよい。このような構成によっても、任意のキャリアリークをキャンセルすることができる。
【００５３】
図５は、直交変調器１２の構成の他の例を示す図である。本例における直交変調器１２は、調整部６０、Ｉ側キャンセラ２２、Ｑ側キャンセラ７０、分配部４２、Ｉ成分変調部２０、Ｑ成分変調部４０、Ｉ側増幅部４４、Ｑ側増幅部４６、及び合成部４８を備える。
【００５４】
分配部４２は、図１において説明した分配部４２と同一である。つまり、分配部４２は、キャリア信号を受け取り、Ｉ側キャリア信号及びＱ側キャリア信号を出力する。Ｉ成分変調部２０及びＱ成分変調部４０は、図４において説明したＩ成分変調部２０の構成から、Ｉ側キャンセラ２２を除いた構成を有する。つまり、Ｉ成分変調部２０は、第１ミキサ２６、第２ミキサ２４、位相シフト部５２、及び結合部５４を有し、Ｑ成分変調部４０は、第３ミキサ８２、第４ミキサ８０、位相シフト部８８、及び結合部９０を有する。
【００５５】
また、Ｉ成分変調部２０及びＱ成分変調部４０は、図１又は図３に示したＩ成分変調部２０の構成と略同一の構成を有してもよい。例えば、Ｉ成分変調部２０は、図５に示す構成に対し、位相シフト部５２に代えて分配部２８を有し、結合部５４に代えて方向性結合部３０を有してもよい。この場合においても、後述するように第１振幅調整部６２、及び第２振幅調整部６４は、Ｉ側入力信号の振幅をそれぞれ調整し、第３振幅調整部６６及び第４振幅調整部６８は、Ｑ側入力信号の振幅をそれぞれ調整する。
【００５６】
Ｉ側増幅部４４、Ｑ側増幅部４６、及び合成部４８は、図１において説明したＩ側増幅部４４、Ｑ側増幅部４６、及び合成部４８と同一である。つまり、Ｉ側増幅部４４は、Ｉ成分変調部２０が出力する信号を増幅し、Ｑ側増幅部４６は、Ｑ成分変調部４０が出力する信号を増幅する。また、合成部４８は、Ｉ側増幅部４４が出力する信号と、Ｑ側増幅部４６が出力する信号とを合成する。
【００５７】
調整部６０は、Ｉ成分変調部２０が出力するＩ側変調成分と、Ｑ成分変調部４０が出力するＱ側変調成分との振幅誤差、位相誤差、及び群遅延誤差の少なくともいずれかに基づいて、Ｉ側入力信号又はＱ側入力信号の少なくとも一方の振幅を調整する。本例において調整部６０は、当該振幅誤差、位相誤差、及び群遅延誤差に基づいて、Ｉ側入力信号及びＱ側入力信号の双方の振幅を調整する。
【００５８】
Ｉ側キャンセラ２２及びＱ側キャンセラ７０は、図１から図４において説明したＩ側キャンセラ２２及びＱ側キャンセラと同一である。つまり、Ｉ側キャンセラ２２は、Ｉ成分変調部２０において生じるＩ側キャリアリークをキャンセルし、Ｑ側キャンセラ７０は、Ｑ成分変調部４０において生じるＱ側キャリアリークを、Ｉ側キャンセラ２２とは独立にキャンセルする。また、Ｉ側キャンセラ２２及びＱ側キャンセラ７０は、調整部６０が調整する入力信号のパラメータとは独立した入力信号のパラメータを調整する。本例において、調整部６０は入力信号の振幅を調整し、Ｉ側キャンセラ２２及びＱ側キャンセラ７０は、入力信号のオフセットレベルを調整する。
【００５９】
また、Ｉ成分変調部２０及びＱ成分変調部４０において、それぞれ独立にキャリアリークをキャンセルし、合成部４８において合成した場合に、微小なキャリアリークが残留する場合がある。この場合、合成部４８が出力する信号に残留する微小キャリアリークに基づいて、第１直流電源３４及び第３直流電源７８を制御することにより、当該微小キャリアリークをキャンセルしてよい。
【００６０】
例えば、微小キャリアリークの実数成分に応じて、第１直流電源３４が出力する第１直流信号のレベルを制御し、微小キャリアリークの虚数成分に応じて、第３直流電源７８が出力する第３直流信号のレベルを制御してよい。第１直流信号及び第３直流信号は、合成部４８における合成時には直交した成分となるので、当該制御により、任意の微小キャリアリークをキャンセルすることができる。また、第１直流電源３４及び第３直流電源７８に代えて、第２直流電源３２及び第４直流電源７４を制御してもよい。
【００６１】
調整部６０は、第１振幅調整部６２、第２振幅調整部６４、第３振幅調整部６６、及び第４振幅調整部６８を有する。第１振幅調整部６２は、Ｉ側入力信号の振幅を、前述した振幅誤差、位相誤差、及び群遅延誤差の少なくともいずれかの実数成分に基づいて調整し、第１ミキサ２６に入力する。また、第２振幅調整部６４は、Ｉ側入力信号の振幅を、前述した振幅誤差、位相誤差、及び群遅延誤差の少なくともいずれかの虚数成分に基づいて調整し、第２ミキサ２４に入力する。このような構成により、Ｉ成分変調部２０が出力するＩ側変調信号に含まれる、Ｉ側入力信号の成分の振幅及び位相を任意に調整することができる。
【００６２】
第３振幅調整部６６は、Ｑ側入力信号の振幅を、前述した振幅誤差、位相誤差、及び群遅延誤差の少なくともいずれかの実数成分に基づいて調整し、第３ミキサ８２に入力する。また、第４振幅調整部６８は、Ｑ側入力信号の振幅を、前述した振幅誤差、位相誤差、及び群遅延誤差の少なくともいずれかの虚数成分に基づいて調整し、第４ミキサ８０に入力する。このような構成により、Ｑ成分変調部４０が出力するＱ側変調信号に含まれる、Ｑ側入力信号の成分の振幅及び位相を任意に調整することができる。
【００６３】
このように、Ｉ側変調成分に含まれるＩ側入力信号の振幅及び位相、並びにＱ側変調成分に含まれるＱ側入力信号の振幅及び位相を、それぞれ独立して調整することができる。このため、Ｉ側変調成分に含まれるＩ側入力信号と、Ｑ側変調成分に含まれるＱ側入力信号との振幅誤差、位相誤差、及び群遅延誤差をそれぞれ補正することができる。また、調整部６０は、入力信号の振幅を調整し、それぞれのキャンセラは入力信号のオフセットレベルを調整する。これらのパラメータは独立であるので、振幅誤差等と、キャリアリークとを独立に調整することができる。即ち、キャリアリークを調整した後に、振幅誤差等を調整した場合であっても、新たにキャリアリークを調整することなく、精度よく信号を変調することができる。
【００６４】
また、当該振幅誤差、位相誤差、及び群遅延誤差は、予め測定されることが好ましい。それぞれの誤差は、既知のＩ側入力信号及びＱ側入力信号を入力した場合における、Ｉ成分変調部２０が出力する信号の振幅及び位相、並びにＱ成分変調部４０が出力する信号の振幅及び位相から求めることができる。
【００６５】
また、直交変調器１２は、Ｉ成分変調部２０及びＱ成分変調部４０が出力する信号の当該振幅誤差、位相誤差、及び群遅延誤差の実数成分及び虚数成分を測定する測定部と、測定部が測定する誤差が最小となるように、当該実数成分及び虚数成分に基づいて、それぞれの直流電源を制御する制御部とを更に備えてもよい。
【００６６】
図６は、振幅誤差を調整する場合の調整部６０の動作の一例を示す図である。Ｉ側変調信号及びＱ側変調信号に振幅誤差が無い場合、Ｉ側変調信号及びＱ側変調信号のベクトルは、図６において点線で示すように円上に配置される。しかし、図６に示すように、Ｉ側変調信号及びＱ側変調信号に振幅誤差が有ると、Ｉ側変調信号及びＱ側変調信号のベクトルは、楕円上に配置される。
【００６７】
調整部６０は、Ｉ側入力信号及びＱ側入力信号のそれぞれの実数成分及び虚数成分を調整することにより、Ｉ側変調信号及びＱ側変調信号のベクトルを円上に配置させる。当該調整は、Ｉ側変調信号の振幅と、Ｑ側変調信号の振幅との差分が最小となるように、第１振幅調整部６２、第２振幅調整部６４、第３振幅調整部６６、及び第４振幅調整部６８を制御することにより行うことができる。
【００６８】
例えば、第１振幅調整部６２及び第３振幅調整部６６は、振幅誤差の実数成分が最小となるように、Ｉ側入力信号の振幅及びＱ側入力信号の振幅を、互いに逆向きに増減させる。図６においては、Ｉ側変調信号の振幅が、Ｑ側変調信号の振幅より大きいので、第１振幅調整部６２はＩ側入力信号の振幅を減少させ、第３振幅調整部６６はＱ側入力信号の振幅を増大させる。
【００６９】
また、第２振幅調整部６４及び第４振幅調整部６８は、振幅誤差の虚数成分が最小となるように、Ｉ側入力信号の振幅及びＱ側入力信号の振幅を、互いに逆向きに増減させる。図６においては、第２振幅調整部６４はＩ側入力信号の振幅を減少させ、第４振幅調整部６８はＱ側入力信号の振幅を増大させる。
【００７０】
このような制御により、Ｉ側変調信号及びＱ側変調信号における振幅誤差を低減することができる。直交変調器１２は、当該振幅誤差を測定してよい。また調整部６０は、当該振幅誤差が最小となるように、それぞれの振幅調整部を制御してよい。
【００７１】
また、本例において調整部６０は、Ｉ側入力信号及びＱ側入力信号の双方を調整したが、他の例においては、調整部６０はＩ側入力信号及びＱ側入力信号のいずれか一方を調整することにより、当該振幅誤差を最小にしてもよい。
【００７２】
図７は、位相誤差を調整する場合の調整部６０の動作の一例を示す図である。Ｉ側変調信号及びＱ側変調信号に位相誤差が無い場合、Ｉ側変調信号及びＱ側変調信号のベクトルは、図６において点線で示すように略９０度の位相差を有する。
【００７３】
調整部６０は、Ｉ側入力信号及びＱ側入力信号のそれぞれの実数成分及び虚数成分を調整することにより、Ｉ側変調信号及びＱ側変調信号の位相差を略９０度に調整する。当該調整は、Ｉ側変調信号及びＱ側変調信号の位相差が略９０度となるように、第１振幅調整部６２、第２振幅調整部６４、第３振幅調整部６６、及び第４振幅調整部６８を制御することにより行うことができる。
【００７４】
第１振幅調整部６２、第２振幅調整部６４、第３振幅調整部６６、及び第４振幅調整部６８が出力する信号の振幅を増大させるか減少させるかは、位相差が９０度より大きいか否か、及びＩ側変調信号及びＱ側変調信号がいずれの象限に存在するかにより異なる。図７においては、Ｉ側変調信号とＱ側変調信号の位相差が９０度より大きく、Ｉ側変調信号が第１象限に存在し、Ｑ側変調信号が第２象限に存在する。
【００７５】
この場合、第１振幅調整部６２及び第３振幅調整部６６は、それぞれの入力信号の振幅を減少させる。また、第２振幅調整部６４及び第４振幅調整部６８は、それぞれの入力信号の振幅を増大させる。
【００７６】
このような制御により、Ｉ側変調信号及びＱ側変調信号における位相誤差を低減することができる。直交変調器１２は、Ｉ側変調信号及びＱ側変調信号のそれぞれの位相を測定してよい。また、直交変調器１２は、Ｉ側変調信号及びＱ側変調信号がいずれの象限に存在するか、及び位相誤差に基づいて、調整部６０を制御してよい。
【００７７】
また、本例において調整部６０は、Ｉ側入力信号及びＱ側入力信号の双方を調整したが、他の例においては、調整部６０はＩ側入力信号及びＱ側入力信号のいずれか一方を調整することにより、当該位相誤差を最小にしてもよい。
【００７８】
図８は、群遅延誤差を調整する場合の調整部６０の動作の一例を示す図である。Ｉ側変調信号及びＱ側変調信号は、図６において点線で示すように、それぞれ所定の位相を有するべき必要がある場合において、群遅延により誤差が生じる場合がある。
【００７９】
調整部６０は、Ｉ側入力信号及びＱ側入力信号のそれぞれの実数成分及び虚数成分を調整することにより、キャリア発生部１０から入力され、合成部４８から出力される信号の群遅延誤差が最小となるように調整する。当該調整は、第１振幅調整部６２、第２振幅調整部６４、第３振幅調整部６６、及び第４振幅調整部６８を制御することにより行うことができる。
【００８０】
第１振幅調整部６２、第２振幅調整部６４、第３振幅調整部６６、及び第４振幅調整部６８が出力する信号の振幅を増大させるか減少させるかは、Ｉ側変調信号及びＱ側変調信号の位相が、理想的な位相に対して進んでいるか又は遅れているか、及びＩ側変調信号及びＱ側変調信号がいずれの象限に存在するかにより異なる。図８においては、Ｉ側変調信号とＱ側変調信号が理想的な位相に対して遅れており、Ｉ側変調信号が第１象限に存在し、Ｑ側変調信号が第２象限に存在する。
【００８１】
この場合、第１振幅調整部６２及び第４振幅調整部６８は、それぞれの入力信号の振幅を減少させる。また、第２振幅調整部６４及び第３振幅調整部６６は、それぞれの入力信号の振幅を増大させる。
【００８２】
このような制御により、キャリア発生部１０から入力され、合成部４８から出力される信号の群遅延誤差を低減することができる。直交変調器１２は、キャリア発生部１０から入力され、合成部４８から出力される信号の群遅延誤差を測定してよい。また、直交変調器１２は、キャリア発生部１０から入力され、合成部４８から出力される信号の位相が、理想的な位相に対して進んでいるか又は遅れているか、及びＩ側変調信号及びＱ側変調信号がいずれの象限に存在するかに基づいて、調整部６０を制御してよい。
【００８３】
図６から図８に説明したように、振幅誤差、位相誤差、及び群遅延誤差は、それぞれ独立して調整することができる。即ち、調整部６０は、振幅誤差、位相誤差、及び群遅延誤差の任意の組み合わせに対して、誤差を低減させることができる。
【００８４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００８５】
以上から明らかなように、本発明によれば、キャリアリーク、振幅誤差等を精度よく低減することができる。また、歪みの少ない変調信号を生成することができる。
【図面の簡単な説明】
【００８６】
【図１】本発明の実施形態に係る信号発生器１００の構成の一例を示す図である。
【図２】Ｉ成分変調部２０及びＱ成分変調部４０の動作の一例を示す図である。図２（ａ）は、Ｉ成分変調部２０の動作の一例を示し、図２（ｂ）は、Ｑ成分変調部４０の動作の一例を示す。
【図３】Ｉ成分変調部２０の構成の他の例を示す図である。
【図４】Ｉ成分変調部２０の構成の他の例を示す図である。
【図５】直交変調器１２の構成の他の例を示す図である。
【図６】振幅誤差を調整する場合の調整部６０の動作の一例を示す図である。
【図７】位相誤差を調整する場合の調整部６０の動作の一例を示す図である。
【図８】群遅延誤差を調整する場合の調整部６０の動作の一例を示す図である。
【符号の説明】
【００８７】
１０・・・キャリア生成部、１２・・・直交変調器、２０・・・Ｉ成分変調部、２２・・・Ｉ側キャンセラ、２４・・・第２ミキサ、２６・・・第１ミキサ、２８・・・分配部、３０・・・方向性結合部、３２・・・第２直流電源、３４・・・第１直流電源、３６・・・加算部、３８・・・伝送部、４０・・・Ｑ成分変調部、４２・・・分配部、４４・・・Ｉ側増幅部、４６・・・Ｑ側増幅部、４８・・・合成部、５０・・・加算部、５２・・・位相シフト部、５４・・・結合部、６０・・・調整部、６２・・・第１振幅調整部、６４・・・第２振幅調整部、６６・・・第３振幅調整部、６８・・・第４振幅調整部、７０・・・Ｑ側キャンセラ、７４・・・第４直流電源、７８・・・第３直流電源、８０・・・第４ミキサ、８２・・・第３ミキサ、８８・・・位相シフト部、９０・・・結合部、１００・・・信号発生器
【図１】
2007215049.tif 000003
【図２】
2007215049.tif 000004
【図３】
2007215049.tif 000005
【図４】
2007215049.tif 000006
【図５】
2007215049.tif 000007
【図６】
2007215049.tif 000008
【図７】
2007215049.tif 000009
【図８】
2007215049.tif 000010